(57)【要約】【課題】ディスプレイ装置を提供する。【解決手段】画像を表示するディスプレイパネルと、電磁波遮蔽層を備え、ディスプレイパネルの画像が形成される第１面に直接付着されるフィルタと、第１面に対向するディスプレイパネルの第２面側に配置され、ディスプレイパネルを支持するシャーシと、導電性物質を含み、第１翼部がフィルタの電磁波遮蔽層に電気的に連結され、第２翼部がシャーシに電気的に連結され、第１翼部と第２翼部とは実質的に互いに対向する接地ブラケットと、接地ブラケットに装着され、接地ブラケットの第１翼部と第２翼部とを互いに対向する方向に加圧する加圧手段と、を備えるディスプレイ装置である。【選択図】図２
2009048198.tif 000002
【特許請求の範囲】
【請求項１】
画像を表示するディスプレイパネルと、
電磁波遮蔽層を備え、前記ディスプレイパネルの画像が形成される第１面に直接付着されるフィルタと、
前記第１面に対向する前記ディスプレイパネルの第２面側に配置され、前記ディスプレイパネルを支持するシャーシと、
導電性物質を含み、第１翼部が前記フィルタの電磁波遮蔽層に電気的に連結され、第２翼部が前記シャーシに電気的に連結され、前記第１翼部と前記第２翼部とは実質的に互いに対向する接地ブラケットと、
前記接地ブラケットに装着され、前記接地ブラケットの第１翼部と第２翼部とを互いに対向する方向に加圧する加圧手段と、
を備えることを特徴とするディスプレイ装置。
【請求項２】
前記シャーシは、導電性物質を含み、前記接地ブラケットの第１翼部の少なくとも一部の表面は、前記フィルタの電磁波遮蔽層と電気的に連結され、前記接地ブラケットの第２翼部の少なくとも一部の表面は、前記シャーシの導電性物質と電気的に連結されることを特徴とする請求項１に記載のディスプレイ装置。
【請求項３】
前記加圧手段は、前記接地ブラケットの第１翼部及び第２翼部を貫通する本体部と、前記接地ブラケットの第１翼部に接触し、前記第１翼部を前記第２翼部側に加圧するヘッド部と、前記本体部の少なくとも一部に形成されたネジ山と、を備えるスクリューを備え、
前記接地ブラケットの第２翼部には、内部にネジ山が形成されたホールが形成され、
前記本体部のネジ山が前記接地ブラケットの第２翼部のネジ山に締結されることによって、前記加圧手段は、前記接地ブラケットの第１翼部と第２翼部とを互いに対向する方向に引き締めることを特徴とする請求項１に記載のディスプレイ装置。
【請求項４】
前記加圧手段は、前記接地ブラケットの第２翼部及び第１翼部を貫通する本体部と、前記接地ブラケットの第２翼部に接触し、前記第２翼部を前記第１翼部側に加圧するヘッド部と、前記本体部の少なくとも一部に形成されたネジ山と、を備えるスクリューを備え、
前記接地ブラケットの第１翼部には、内部にネジ山が形成されたホールが形成され、
前記本体部のネジ山が前記接地ブラケットの第１翼部のネジ山に締結されることによって、前記加圧手段は、前記接地ブラケットの第１翼部と第２翼部とを互いに対向する方向に引き締めることを特徴とする請求項１に記載のディスプレイ装置。
【請求項５】
前記加圧手段は、前記接地ブラケットの第１翼部及び第２翼部を貫通する本体部、及び前記接地ブラケットの第１翼部に接触し、前記第１翼部を前記第２翼部側に加圧するヘッド部を備えるボルトと、前記接地ブラケットの第１翼部及び第２翼部を介して前記スクリューの本体部に形成されたネジ山と締結されるナットと、を備え、
前記ボルトと前記ナットとが締結されることによって、前記加圧手段は、前記接地ブラケットの第１翼部と第２翼部とを互いに対向する方向に引き締めることを特徴とする請求項１に記載のディスプレイ装置。
【請求項６】
前記加圧手段は、前記接地ブラケットの第１翼部及び第２翼部を貫通する本体部、及び前記接地ブラケットの第２翼部に接触し、前記第２翼部を前記第１翼部側に加圧するヘッド部を備えるボルトと、前記接地ブラケットの第１翼部及び第２翼部を介して前記スクリューの本体部に形成されたネジ山と締結されるナットと、を備え、
前記ボルトと前記ナットとが締結されることによって、前記加圧手段は、前記接地ブラケットの第１翼部と第２翼部とを互いに対向する方向に引き締めることを特徴とする請求項１に記載のディスプレイ装置。
【請求項７】
前記加圧手段は、前記接地ブラケットの第１翼部及び第２翼部を貫通する本体部、及び前記接地ブラケットの第１翼部に接触し、前記第１翼部が前記第２翼部側に加圧するヘッド部を備えるリベットを備え、
前記ヘッド部から遠い前記本体部の端部の直径が前記本体部の他の部分の直径より大きくすることによって、前記接地ブラケットの第１翼部と第２翼部とを互いに対向する方向に引き締めることを特徴とする請求項１に記載のディスプレイ装置。
【請求項８】
前記接地ブラケットの第１翼部と前記フィルタとの間には、導電性パッドがさらに配置されることを特徴とする請求項１に記載のディスプレイ装置。
【請求項９】
前記接地ブラケットは、導電性物質を含む物質で形成されることを特徴とする請求項１に記載のディスプレイ装置。
【請求項１０】
画像を表示するディスプレイパネルと、
電磁波遮蔽層を備え、前記ディスプレイパネルの画像が形成される第１面に直接付着されるフィルタと、
前記第１面に対向する前記ディスプレイパネルの第２面側に配置され、前記ディスプレイパネルを支持するシャーシと、
導電性物質を含み、第１翼部が前記フィルタの電磁波遮蔽層に電気的に連結され、第２翼部が前記シャーシに電気的に連結され、前記第１翼部と前記第２翼部とは実質的に互いに対向するが、前記第１翼部と前記第２翼部とが互いに対向するように弾性力が提供される接地ブラケットと、
を備えることを特徴とするディスプレイ装置。
【発明の詳細な説明】
【技術分野】
【０００１】
本発明は、ディスプレイ装置に係り、特にディスプレイパネルの前面に直接付着されたフィルタとシャーシとの接地性能を強化することによって電磁波遮蔽性を向上させるディスプレイ装置に関する。
【背景技術】
【０００２】
通常的に、ディスプレイ装置の一例として、プラズマディスプレイ装置は、前面基板と背面基板との対向面にそれぞれの放電電極を形成し、基板間の密閉された放電空間に放電ガスを注入した後、各放電電極に所定の電圧を印加して放電空間に発生する紫外線により蛍光体層の蛍光物質を励起させて、発光された光を利用して画像を具現化する平板ディスプレイ装置である。
【０００３】
かかるプラズマディスプレイ装置は、前面パネル及び背面パネルをそれぞれ製造してそれらを互いに結合させ、パネル組立体の後方にシャーシベースを結合し、シャーシベースの後方にパネル組立体と電気的信号を伝達できる駆動回路基板とを付着し、パネルにフィルタを直接付着するか、またはフィルタホルダーを利用して間接的に付着し、それらをケース内に装着することによって製造される。
【０００４】
このとき、フィルタは、ディスプレイパネルから発生する電磁波、赤外線、ネオン発光または外光の反射を遮断するために設置されるものである。すなわち、電磁波を遮蔽し、赤外線、ネオン発光または外光の反射を遮断するために、フィルタがシャーシベースによく接地されることが重要である。
【発明の開示】
【発明が解決しようとする課題】
【０００５】
本発明の目的は、ディスプレイパネルの前面に付着される直付着フィルタとシャーシとを接地させる接地ブラケットを、フィルタとシャーシとにそれぞれ確実に電気的に連結させるディスプレイ装置を提供するところにある。
【課題を解決するための手段】
【０００６】
前記目的を達成するために、本発明は、（i）画像を表示するディスプレイパネル、（ii）電磁波遮蔽層を備え、前記ディスプレイパネルの画像が形成される第１面に直接付着されるフィルタ、（iii）前記第１面に対向する前記ディスプレイパネルの第２面側に配置され、前記ディスプレイパネルを支持するシャーシ、（iv）導電性物質を含み、第１翼部が前記フィルタの電磁波遮蔽層に電気的に連結され、第２翼部が前記シャーシに電気的に連結され、前記第１翼部と前記第２翼部とは実質的に互いに対向する接地ブラケット、及び（v）前記接地ブラケットに装着され、前記接地ブラケットの第１翼部と第２翼部とを互いに対向する方向に加圧する加圧手段を備えるディスプレイ装置を開示する。
【０００７】
前記シャーシは、導電性材質を含み、前記接地ブラケットの第１翼部の少なくとも一部の表面は、前記フィルタの電磁波遮蔽層と電気的に連結され、前記接地ブラケットの第２翼部の少なくとも一部の表面は、前記シャーシの導電性材質と電気的に接触する。
【０００８】
前記加圧手段は、前記接地ブラケットの第１翼部及び第２翼部を貫通して引き締めるスクリューでありうる。これと異なり、前記加圧手段は、前記接地ブラケットの第１翼部及び第２翼部を貫通してナットと締結されるボルトでありうる。これと異なり、前記加圧手段は、前記接地ブラケットの第１翼部及び第２翼部を貫通した後に締結されるリベットでありうる。
【０００９】
前記接地ブラケットの第１翼部と前記フィルタとの間には、導電性パッドがさらに配置される。かかる導電性パッドを配置することによって、接地ブラケットと直付着フィルタとの間の緩衝性を向上させて、接地ブラケットが直接電磁波遮蔽層に接触する時に発生する損傷を防止できる。
【００１０】
前記加圧手段により、前記接地ブラケットの第１翼部と第２翼部とは、互いに対向する方向に引き締められ、接地ブラケットの第１翼部はシャーシ側に密着され、接地ブラケットの第２翼部は直付着フィルタ側に密着されるので、電磁波遮蔽層とシャーシとの間の接地性能が向上する。結果的に、直付着フィルタの電磁波遮蔽性能が向上してプラズマディスプレイ装置の品質が向上する。
【００１１】
また、本発明の他の側面によれば、（i）画像を表示するディスプレイパネル、（ii）電磁波遮蔽層を備え、前記ディスプレイパネルの画像が形成される第１面に直接付着されるフィルタ、（iii）前記第１面に対向する前記ディスプレイパネルの第２面側に配置され、前記ディスプレイパネルを支持するシャーシ、及び（iv）導電性物質を含み、第１翼部が前記フィルタの電磁波遮蔽層に電気的に連結され、第２翼部が前記シャーシに電気的に連結され、前記第１翼部と前記第２翼部とは実質的に互いに対向するが、前記第１翼部と前記第２翼部とが互いに対向するように弾性力が提供される接地ブラケットを、備えるディスプレイ装置を開示する。
【発明の効果】
【００１２】
本発明によれば、弾性的な接地ブラケットにより、接地ブラケットの各翼部が直付着フィルタの電磁波遮蔽層及びシャーシにそれぞれ密着される。これにより、接地ブラケットの第１翼部は、シャーシとさらに広い面積で電気的に確実に連結され、接地ブラケットの第２翼部も、直付着フィルタの電磁波遮蔽層とさらに広い面積で電気的に確実に連結される。したがって、直付着フィルタの電磁波遮蔽層がシャーシに確実に接地されて、直付着フィルタの電磁波遮蔽性能が向上する。
【発明を実施するための最良の形態】
【００１３】
以下では、添付された図面に示した本発明の実施形態を、プラズマディスプレイ装置を例として詳細に説明する。本発明の実施形態としてプラズマディスプレイ装置について説明するが、本発明の保護範囲がこれに限定されないことはいうまでもない。図１は、本発明の一実施形態によるプラズマディスプレイ装置の分解斜視図であり、図２は、図１のＡ領域を拡大して示す断面図である。
【００１４】
図１に示すように、プラズマディスプレイ装置は、画像を表示するディスプレイパネル２０、ディスプレイパネル２０を支持するシャーシ３０、パネル２０を収容して保護する前方ケース１１及び後方ケース１２を備える。ディスプレイパネル２０は、前面パネル２１と背面パネル２２とを備える。前面パネル２１は、前面基板、前面基板上に所定のパターンで形成されたＸ及びＹ電極、Ｘ及びＹ電極を埋め込む前面誘電体層、及び前面誘電体層の表面にコーティングされた保護膜層を備える。背面パネル２２は、背面基板、背面基板上にＸ及びＹ電極と交差する方向に形成されたアドレス電極、アドレス電極を埋め込む背面誘電体層、前面基板と背面基板との間に配置されて放電空間を限定する隔壁、及び隔壁の内側に塗布された蛍光体層を備えている。
【００１５】
ディスプレイパネル２０の後方には、シャーシ３０が結合されている。ディスプレイパネル２０とシャーシ３０との間のディスプレイパネル２０の面には、少なくとも一枚からなる放熱シート２４が付着されている。放熱シート２４は、ディスプレイパネル２０で発生した熱を迅速かつ円滑に排出する役割を行う。ディスプレイパネル２０とシャーシ３０とは、両面テープ２３により接着される。
【００１６】
シャーシ３０の後方面には、駆動回路基板（図示せず）及び他の回路基板が配置されてシャーシ３０と結合される。駆動回路基板は、ディスプレイパネル２０を駆動する電気的な信号を提供する。このために、駆動回路基板とディスプレイパネル２０とは、ＴＣＰ（Ｔａｐｅ  Ｃａｒｒｉｅｒ  Ｐａｃｋａｇｅ）またはＴＡＢ（ＴａｐｅＡｕｔｏｍａｔｅｄ  Ｂｏｎｄｉｎｇ）のような信号伝達手段（図示せず）により電気的に連結される。
【００１７】
シャーシ３０は、かかる回路基板及びディスプレイパネル２０を支持する。したがって、シャーシ３０は、回路基板とディスプレイパネル２０とを十分に支持するほど高い剛性を有する材料で形成される。また、シャーシ３０は、回路基板にある回路にグラウンドを提供する。したがって、シャーシ３０は、導電性のある物質を含む。また、シャーシ３０は、回路基板及びディスプレイパネル２０で発生した熱を円滑に排出させる役割も行う。このために、シャーシ３０は、熱伝導性の高い物質を含む。すなわち、シャーシ３０は、アルミニウムのような材料で形成されることが通常であるが、本発明の保護範囲は、必ずしもこれに限定されない。例えば、シャーシ３０は、その一部の領域に導電性物質を含むプラスチック材料で形成されてもよい。
【００１８】
ディスプレイパネル２０の前方面には、フィルタ１５が直接付着される。ここで、フィルタ１５は、画像が投射されるディスプレイパネル２０の前方面に直接付着されるので、直付着フィルタ１５と呼ばれる。直付着フィルタ１５は、ディスプレイパネル２０から発生する電磁波や赤外線、ネオン発光及び外光の反射を遮断するために設置される。特に、電磁波の遮断が重要であるが、このために、直付着フィルタ１５は、微細な金属実線が網型で薄く配置された電磁波遮蔽層（図示せず）を備える。また、直付着フィルタ１５は、赤外線遮断層、ネオン発光遮断層、外光反射遮断層などを備える。電磁波を遮断するためには、電磁波遮蔽層を接地（グラウンドと電気的に連結）させねばならない。このために、接地ブラケット１４５，３４５，４４５が提供される。
【００１９】
図２に示すように、一実施形態による接地ブラケット１４５は、互いに対向する第１翼部１４５ａと第２翼部１４５ｂとを有し、接地ブラケット１４５は、‘コ’の字状の断面を有する。しかし、本発明の保護範囲は、これに限定されず、第１翼部１４５ａと第２翼部１４５ｂとが互いに対向すればよく、断面の形状は、‘コ’の字状以外にも‘⊃’の字状など多様な形状を有してもよい。接地ブラケット１４５の第１翼部１４５ａの表面は、シャーシ３０の後方面に電気的に接し、接地ブラケット１４５の第２翼部１４５ｂの表面は、直付着フィルタ１５に含まれた電磁波遮蔽層、さらに詳しくは、一般的に周辺部１５ａに電気的に接する。このとき、接地ブラケット１４５の第１翼部１４５ａの表面と接するシャーシ３０の後方面は、導電性の高い物質で形成されている。そして、接地ブラケット１４５は、アルミニウムやスチールのような導電性の高い物質で形成されるか、導電性の高い物質を含む。したがって、直付着フィルタ１５の電磁波遮蔽層がシャーシ３０に接地されて電磁波の発生を遮断できる。
【００２０】
しかし、この状態のみでは、シャーシ３０と電磁波遮蔽層との間の接地が確実でない。接地が不安定であれば、電磁波の遮蔽性能が顕著に低下するので、シャーシ３０と直付着フィルタ１５との間の接地を確実にしなければならない。このために、本発明の実施形態は、加圧手段を備える。
【００２１】
図２に示した一実施形態において、加圧手段は、スクリュー１４０でありうる。スクリュー１４０は、本体部１４０ｂ、ヘッド部１４０ａ及びネジ山で形成される。ヘッド部１４０ａは、本体部１４０ｂの一端に一体に連結されており、ヘッド部１４０ａの直径は、本体部１４０ｂの直径より大きい。本体部１４０ｂの一部の領域、さらに詳しくは、ヘッド部１４０ａから遠い本体部１４０ｂの端部には、ネジ山が形成されている。スクリュー１４０は、そのヘッド部１４０ａが第１翼部１４５ａに当接するまで、接地ブラケット１４５の第１翼部１４５ａを貫通して第２翼部１４５ｂに挿入される。接地ブラケット１４５の第２翼部１４５ｂにも、本体部１４０ｂのネジ山に対応するネジ山（図示せず）が形成されている。したがって、スクリュー１４０の本体部１４０ｂは、接地ブラケット１４５の第２翼部１４５ｂにネジ結合される。結合方向にスクリュー１４０をさらに回転させることによって、スクリューのヘッド部１４０ａが接地ブラケット１４５の第１翼部１４５ａを第２翼部１４５ｂ側に加圧し、よって接地ブラケット１４５の第１翼部１４５ａと第２翼部１４５ｂとは、互いに対向する方向に引き締められる。これにより、接地ブラケット１４５の第１翼部１４５ａはシャーシ３０側に密着され、接地ブラケット１４５の第２翼部１４５ｂは直付着フィルタ１５側に密着されるので、直付着フィルタ１５の電磁波遮蔽層とシャーシ３０との間の接地性能が向上する。結果的に、直付着フィルタ１５の電磁波遮蔽性能が向上して、プラズマディスプレイ装置の品質が向上する。
【００２２】
一方、図示していないが、ヘッド部１４０ａと接地ブラケット１４５の第１翼部１４５ａとの間には、ワッシャーが配置される。ワッシャーは、ヘッド部１４０ａと第１翼部１４５ａとの間にプリテンションを提供することによって、スクリュー１４０を接地ブラケット１４５にさらに確実に引き締める。
【００２３】
図３は、図２に示した実施形態の変形例を示す断面図である。図２に示した実施形態との相違点は、スクリュー１４０の進行方向が逆であるという点である。すなわち、この変形例では、スクリュー１４０が第２翼部１４５ｂから第１翼部１４５ａへ進みつつ接地ブラケット１４５と締結される。残りの説明は、図２の実施形態についての説明を参考にすればよい。
【００２４】
図４は、本発明の他の実施形態によるＡ領域の拡大断面図である。この実施形態において、加圧手段は、ボルト２４１とナット２４２とである。ボルト２４１は、本体部２４１ｂ、ヘッド部２４１ａ及びネジ山で形成される。ヘッド部２４１ａは、本体部２４１ｂの一端に一体で連結されており、ヘッド部２４１ａの直径は、本体部２４１ｂの直径より大きい。本体部２４１ｂの一部の領域、さらに詳しくは、ヘッド部２４１ａから遠い本体部２４１ｂの端部には、ネジ山が形成されている。ボルト２４１は、そのヘッド部２４１ａが第１翼部１４５ａに当接するまで、接地ブラケット１４５の第１翼部１４５ａを貫通して第２翼部１４５ｂに挿入される。次いで、本体部２４１ｂのネジ山には、ナット２４２が引き締められる。ナット２４２との引き締め方向にボルト２４１またはナット２４２をさらに回転させることによって、ボルトのヘッド部２４１ａが接地ブラケット１４５の第１翼部１４５ａを第２翼部１４５ｂ側に加圧し、よって接地ブラケット１４５の第１翼部１４５ａと第２翼部１４５ｂとは、互いに対向する方向に引き締められる。これにより、接地ブラケット１４５の第１翼部１４５ａは、シャーシ３０側に密着され、接地ブラケット１４５の第２翼部１４５ｂは、直付着フィルタ１５側に密着されるので、直付着フィルタ１５の電磁波遮蔽層とシャーシ３０との間の接地性能が向上する。結果的に、直付着フィルタ１５の電磁波遮蔽性能が向上して、プラズマディスプレイ装置の品質が向上する。
【００２５】
一方、図示していないが、ヘッド部２４１ａと接地ブラケット１４５，１４５の第１翼部１４５ａとの間には、ワッシャーが配置される。ワッシャーは、ヘッド部２４１ａと第１翼部１４５ａとの間にプリテンションを提供することによって、ボルトを接地ブラケット１４５にさらに確実に引き締める。
【００２６】
図５は、図４に示した本発明の実施形態の変形例を示す断面図である。図４に示した実施形態との相違点は、ボルト２４１の進行方向が逆であるという点である。すなわち、この変形例では、ボルト２４１が第２翼部１４５ｂから第１翼部１４５ａへ進みつつナットに引き締められる。残りの説明は、図４の実施形態についての説明を参考にすればよい。
【００２７】
図６は、本発明のさらに他の実施形態による図１のＡ領域の拡大断面図である。この実施形態において、加圧手段は、リベット３４０である。接地ブラケット３４５に締結される前のリベット３４０は、接地ブラケット３４５の第１翼部３４５ａ及び第２翼部３４５ｂを貫通する本体部３４０ｂと、前記接地ブラケット３４５の第２翼部３４５ｂに接触し、前記第１翼部３４５ａを前記第２翼部３４５ｂ側に加圧するヘッド部３４０ａと、を備える。ヘッド部３４０ａは、本体部３４０ｂの一端に一体で連結されており、ヘッド部３４０ａの直径は、本体部３４０ｂの直径より大きい。リベット３４０は、そのヘッド部３４０ａが第２翼部３４５ｂに当接するまで、その本体部３４０ｂを接地ブラケット３４５の第２翼部３４５ｂを貫通し、第１翼部３４５ａを貫通した後、ヘッド部３４０ａから遠い本体部３４０ｂの端部３４０ｃの直径を拡大することによって、接地ブラケット３４５に締結される。
【００２８】
接地ブラケット３４５の第１翼部３４５ａと第２翼部３４５ｂとが互いに対向するように弾性的に変形された状態で、本体部の端部３４０ｃの直径を拡大して加工することによって、接地ブラケット３４５の第１翼部３４５ａと第２翼部３４５ｂとは、互いに対向する方向に引き締められる。これにより、接地ブラケット３４５の第１翼部３４５ａは、シャーシ３０側に密着され、接地ブラケット３４５の第２翼部３４５ｂは、直付着フィルタ１５側に密着されるので、直付着フィルタ１５の電磁波遮蔽層とシャーシ３０との間の接地性能が向上する。結果的に、直付着フィルタ１５の電磁波遮蔽性能が向上して、プラズマディスプレイ装置の品質が向上する。
【００２９】
図６には、リベットのヘッド部が接地ブラケット３４５の第２翼部３４５ｂ側に配置された実施形態について示しているが、本発明の保護範囲は、これに限定されず、リベットのヘッド部３４０ａが接地ブラケット３４５の第１翼部３４５ａ側に配置された状態で接地ブラケット３４５に締結される実施形態も含む。
【００３０】
図７は、図２に示した本発明の一実施形態の他の変形例を示す断面図である。図２に示した実施形態との相違点は、直付着フィルタ１５の電磁波遮蔽層の周辺部１５ａと接地ブラケット１４５の第２翼部１４５ｂとの間に導電性パッド１７が配置されるという点である。ここで、導電性パッド１７は、導電性のある部材であって、実質的に互いに対向して平らな両面を有している部材を意味する。かかる導電性パッド１７を配置することによって、接地ブラケット３４５と直付着フィルタ１５との間の緩衝性を向上させて、接地ブラケット３４５が直接電磁波遮蔽層に接触する時に発生する損傷を防止できる。
【００３１】
前述した実施形態において、接地ブラケット１４５，３４５がディスプレイパネル２０の上端及び下端にそれぞれ配置されていることを示しているが、本発明の保護範囲は、これに限定されない。例えば、接地ブラケット１４５，３４５は、ディスプレイパネル２０の左側端及び／または右側端に配置されてもよい。そして、前述した実施形態において、一側での接地ブラケット１４５，３４５は、一方向に長く延びたものであって、その個数が一つであるように示されているが、本発明の保護範囲は、これに限定されない。すなわち、一側での接地ブラケットの個数は、２個、３個、４個またはそれ以上であってもよい。
【００３２】
図８は、本発明のさらに他の実施形態によるディスプレイ装置の一部分を拡大して示す断面図である。図１に示した実施形態との相違点は、スクリュー１４０のような加圧手段を別途に備えないという点である。その代わりに、本実施形態において、接地ブラケット４４５は、第１翼部４４５ａ及び第２翼部４４５ｂの各端部が互いに対向するように弾性力が提供される。詳細に説明すれば、接地ブラケット４４５の断面形状は、コ状または⊃状であり、自由状態での第１翼部４４５ａの終端と第２翼部４４５ｂの終端との距離より、ディスプレイ装置に配置されている時の第１翼部４４５ａの終端と第２翼部４４５ｂの終端との距離がさらに大きくなるように、接地ブラケット４４５には弾性力が提供される。
【００３３】
接地ブラケット４４５を、ディスプレイパネル２０の直付着フィルタ１５とシャーシ３０とに設置するために、第１翼部４４５ａと第２翼部４４５ｂとの距離を広くした後、第１翼部４４５ａと第２翼部４４５ｂとの間にディスプレイパネル２０を位置させる。そして、第１翼部４４５ａと第２翼部４４５ｂとを元来の状態に置けば、第１翼部４４５ａと第２翼部４４５ｂとの間に作用する弾性力により、接地ブラケット４４５の第１翼部４４５ａはシャーシ３０側に密着され、接地ブラケット４４５の第２翼部４４５ｂは直付着フィルタ１５側に密着されるので、直付着フィルタ１５の電磁波遮蔽層とシャーシ３０との間の接地性能が向上する。結果的に、直付着フィルタ１５の電磁波遮蔽性能が向上して、プラズマディスプレイ装置の品質が向上する。
【００３４】
図９Ａは、直付着フィルタ１５を備える従来のプラズマディスプレイ装置の電磁波放射量を示すグラフであり、図９Ｂは、本発明の一実施形態によるプラズマディスプレイ装置の電磁波放射量を示すグラフである。電磁波放射量の実験は、ディスプレイパネル２０と計測アンテナとの距離が３ｍであるチャンバー内で実施した。電磁波放射量の許容基準は、米国のＦＣＣ（Ｆｅｄｅｒａｌ  Ｃｏｍｍｕｎｉｃａｔｉｏｎｓ  Ｃｏｍｍｉｓｓｉｏｎ）規格によるクラスＢ（家庭用）に基づいた。クラスＢの基準によれば、３０ＭＨｚから２３０ＭＨｚまでの区間では、電磁波放射量が４０ｄＢμＶ以下であり、２３０ＭＨｚから１ＧＨｚまでの区間では、電磁波放射量が４７ｄＢμＶ以下でなければならない。各区間での太い実線Ｌ１，Ｌ２が電磁波放射量の基準値を表す。
【００３５】
図９Ａの場合、３０ＭＨｚから２３０ＭＨｚまでの区間で３個のピーク値が基準値である４０ｄＢμＶ（Ｌ１）を超えるので、品質検査で家庭用と不良判定を受ける。しかし、本発明の実施形態によるプラズマディスプレイ装置を対象として実験して得た図９Ｂのグラフでは、いかなる区間でも４０ｄＢμＶ（Ｌ１）を超えなかった。したがって、電磁波遮蔽性に優れるということが分かる。
【００３６】
本発明は、図面に示した実施形態を参考にして説明されたが、これは、例示的なものに過ぎず、当業者ならば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００３７】
本発明は、ディスプレイ装置関連の技術分野に適用可能である。
【図面の簡単な説明】
【００３８】
【図１】本発明の一実施形態によるディスプレイ装置の分解斜視図である。
【図２】図１のＡ領域を拡大して示す断面図である。
【図３】図２に示した一実施形態の変形例を示す断面図である。
【図４】本発明の他の実施形態による図１のＡ領域の拡大断面図である。
【図５】図４に示した一実施形態の変形例を示す断面図である。
【図６】本発明のさらに他の実施形態による図１のＡ領域の拡大断面図である。
【図７】図２に示した一実施形態の他の変形例を示す断面図である。
【図８】本発明のさらに他の実施形態によるディスプレイ装置での一部分を拡大して示す断面図である。
【図９Ａ】直付着フィルタを備える従来のプラズマディスプレイ装置での電磁波放射量を示すグラフである。
【図９Ｂ】本発明の一実施形態によるプラズマディスプレイ装置での電磁波放射量を示すグラフである。
【符号の説明】
【００３９】
１５    フィルタ
１５ａ    周辺部
２０    ディスプレイパネル
２１    前面パネル
２２    背面パネル
２３    両面テープ
２４    放熱シート
３０    シャーシ
１４０    スクリュー
１４０ａ    ヘッド部
１４０ｂ    本体部
１４５    接地ブラケット
１４５ａ    第１翼部
１４５ｂ    第２翼部  
【図１】
2009048198.tif 000003
【図２】
2009048198.tif 000004
【図３】
2009048198.tif 000005
【図４】
2009048198.tif 000006
【図５】
2009048198.tif 000007
【図６】
2009048198.tif 000008
【図７】
2009048198.tif 000009
【図８】
2009048198.tif 000010
【図９Ａ】
2009048198.tif 000011
【図９Ｂ】
2009048198.tif 000012